(57)【特許請求の範囲】
【請求項１】
地山を背に形成された盛土層内に複数層に敷設された複数の盛土補強材と、当該盛土補強材の端部を前記地山に突設された地山アンカーの端部に定着するための定着金具およびアイボルトを備えてなる補強土構造物において、前記定着金具は前記地山アンカーの端部に取り付けられた定着用コーンと、当該定着用コーンと結合する定着用カップラーとから構成され、前記定着用コーンは円錐台形状に形成され、前記定着用カップラーは前記定着用コーンが遊嵌可能な内径部と前記定着用コーンの最小外径部より大きく最大外径部より小径の内径部を有するカップラー本体と、当該カップラー本体の端部に形成されたねじ孔にカップラー本体の円周方向に回転可能に取り付けられた雄ねじ部材とから構成され、前記アイボルトは前記雄ねじ部材の縁端部に当該雄ねじ部材の直径方向に形成されたねじ孔または貫通孔に雄ねじ部材の直径方向に突出長さを調整できるように取り付けられ、かつ当該アイボルトのループに前記盛土補強材の端部が貫通して定着されてなることを特徴とする補強土構造物。
【請求項２】
地山を背に形成された盛土層内に複数層に敷設された複数の盛土補強材と、当該盛土補強材の端部を前記地山に突設された地山アンカーの端部に定着するための定着金具、アイボルトおよびキャップ金物を備えてなる補強土構造物において、前記キャップ金物は前記地山アンカーの上端部に形成された雄ねじ部にその円周方向に回転可能に取り付けられ、前記定着金具は前記盛土補強材の端部に取り付けられた定着用コーンと、当該定着用コーンと結合する定着用カップラーとから構成され、前記定着用コーンは円錐台形状に形成され、前記定着用カップラーは前記定着用コーンが遊嵌可能な内径部と前記定着用コーンの最小外径部より大きく最大外径部より小径の内径部を有するカップラー本体と、当該カップラー本体の端部に形成されたねじ孔にカップラー本体の円周方向に回転可能に取り付けられた雄ねじ部材とから構成され、前記アイボルトは前記キャップ金物に当該キャップ金物の直径方向に形成されたねじ孔または貫通孔にキャップ金物の直径方向に突出長さを調整できるように取り付けられ、かつ当該アイボルトのループに前記盛土補強材の端部が貫通して定着されてなることを特徴とする補強土構造物。
【請求項３】
壁面材の背面部の盛土層内に格子鉄筋や金網、あるいはジオテキスタイルからなる付設構造体が複数の壁面材と一体に構築されてなることを特徴とする請求項１または２記載の補強土構造物。
【請求項４】
壁面材の背面部の盛土層内に鉄骨材を組み込むか、あるいは現地発生土を利用した改良土または固結土からなる付設構造体が複数の壁面材と一体に構築されてなることを特徴とする請求項１または２記載の補強土構造物。
【発明の詳細な説明】
【技術分野】
【０００１】
本発明は地山を背に複数の壁面材を積層し、当該壁面材の背面側に盛土を充填すると共に当該盛土内に盛土の安定を目的とする盛土補強材を複数層に敷設してなる補強土構造物に関し、盛土補強材の他端側を地山に突設された地山アンカーに容易に定着し、かつ当該定着部に発生する局所応力（主として曲げ応力）を緩和させることができる。
【背景技術】
【０００２】
盛土を利用して道路や宅地などに面して擁壁を構築する補強土工法においては、一般にコンクリート製の壁面パネルや壁面ブロックを壁面材として複数層に積層し、その背面側に建設残土や現地掘削土などを盛土として充填し、さらに当該盛土内に盛土の安定を目的とする盛土補強材を一定の層厚ごとに複数層に敷設する。
【０００３】
その際、特に面積的に限られた造成地においては道路や宅地のスペースを可能な限り広く確保するため、擁壁の奥行きを狭く擁壁の法面を急勾配にし、かつ盛土内に敷設された盛土補強材の一端側を壁面材に、他端側を地山にそれぞれ定着することが一般に行われている。
【０００４】
ところで従来、盛土補強材の他端側を地山に定着する方法として、例えば図8に図示するように壁面材が変位しないように盛土補強材３０の他端側３０ａを地山３１に敷設されたアンカー部材３２に定着ナット３３等によって剛接合状態に定着していた。
【０００５】
なお、この場合のアンカー部材３２には格子鉄筋が用いられ、地山３１に地山アンカー３４によって固定されている。
【０００６】
【特許文献１】特開２００３−１１９７８７号公報
【発明の開示】
【発明が解決しようとする課題】
【０００７】
しかし、盛土補強材3０は、一定の層厚ごとに充填された盛土内に水平に敷設され、これに対しアンカー部材３２は地山３１の法面に沿って斜めに敷設され、一般に鉛直平面に対して１５〜２０°程度の角度を有して敷設される。
【０００８】
このため、壁面材の微小変位等によって盛土補強材３０に作用する引張り力は、アンカー部材３２に対して斜め方向に働くことになるため、盛土補強材３０の他端側３０ａのアンカー部材３２との定着部Ｓに過大な曲げ応力Ｍが作用し、定着部が破断に至る等の恐れがあった。
【０００９】
本発明は、以上の課題を解決するためになされたもので、盛土補強材の他端側を地山に突設された地山アンカーに容易に定着でき、かつ当該定着部に発生する局所応力（主として曲げ応力）を緩和して定着部の破断を未然に防止して強度的に安定した補強土構造物を提供することを目的とする。
【課題を解決するための手段】
【００１０】
請求項１記載の補強土構造物は、地山を背に形成された盛土層内に複数層に敷設された複数の盛土補強材と、当該盛土補強材の端部を前記地山に突設された地山アンカーの端部に定着するための定着金具およびアイボルトを備えてなる補強土構造物において、前記定着金具は前記地山アンカーの端部に取り付けられた定着用コーンと、当該定着用コーンと結合する定着用カップラーとから構成され、前記定着用コーンは円錐台形状に形成され、前記定着用カップラーは前記定着用コーンが遊嵌可能な内径部と前記定着用コーンの最小外径部より大きく最大外径部より小径の内径部を有するカップラー本体と、当該カップラー本体の端部に形成されたねじ孔にカップラー本体の円周方向に回転可能に取り付けられた雄ねじ部材とから構成され、前記アイボルトは前記雄ねじ部材の縁端部に当該雄ねじ部材の直径方向に形成されたねじ孔または貫通孔に雄ねじ部材の直径方向に突出長さを調整できるように取り付けられ、かつ当該アイボルトのループに前記盛土補強材の端部が貫通して定着されてなることを特徴とするものである。
【００１１】
本発明は、盛土の安定を目的に盛土層内に敷設された盛土補強材の地山側の端部を地山に突設された地山アンカーに、盛土補強材に作用する引張力に対して前記定着用コーンの外周部と前記定着用カップラーの内径部との当接部に作用する軸圧縮力（図２（ａ）の矢印イ参照）によって抵抗するように構成された定着金具によって結合することで、盛土補強材と地山アンカーとの定着部に発生する局所応力を低減するようにしたものである。
【００１２】
本発明において、盛土補強材に作用する引張力は、定着用コーンの外周部（テーパ部）と当該定着用コーンに結合された定着用カップラーの内径部との当接部に軸圧縮力として作用するため、盛土補強材と地山アンカーとの定着部に発生する曲げ応力を低減することができる。
【００１３】
一般に、部材に引張力が作用すると、作用面に対して伸びが生じると同時に軸直角方向に対する長さ（面積）が減少することが知られており、この関係は横ひずみと縦ひずみとの関係を示すポアゾン比であらわされる。
【００１４】
そして、直角方向に対する断面積が減少すると、同じ荷重を載荷してもその応力は増加するので部材の伸びが急増し、破断に至ることになる。
【００１５】
しかし、圧縮力が作用する場合では、直角方向に対して長さが増加するので、破断するようなことはなく、引張力が作用する場合に比較して安全であるといえる。したがって、本発明の場合、定着用カップラーは定着用コーンからの圧縮作用によって圧縮破壊しないように設計すればよい。
【００１６】
なお、定着用コーンは、地山アンカーまたは盛土補強材のいずれの側に取り付けてもよく、また定着用カップラーも定着用コーンと対峙する側であれば地山アンカーまたは盛土補強材のいずれの側に取り付けてもよい。
【００１７】
さらに、地山アンカーと盛土補強材の両方に定着用コーンを取り付け、この両方の定着用コーンを定着用カップラーで結合する構成にしてもよい。
【００１８】
壁面材にはコンクリート製の壁面パネルや壁面ブロック等の一般に用いられている壁面材を用いることができ、また、盛土補強材には鉄筋や異形棒鋼などを用いることができ、いずれもこれらに限定されるものではない。
【００２１】
また、地山に先施工された地山アンカーとこれに定着する盛土補強材との定着部におけるずれを容易に修正できるようにしたものである。すなわち、アイボルトの突出長さを変え、またアイボルトが突設された雄ねじ部材を定着用カップラーの周方向に回すことにより、盛土補強材と地山アンカーとの定着部におけるずれを容易に修正することができる（
図２（ｂ）参照）。
【００２２】
請求項２記載の補強土構造物は、地山を背に形成された盛土層内に複数層に敷設された複数の盛土補強材と、当該盛土補強材の端部を前記地山に突設された地山アンカーの端部に定着するための定着金具、アイボルトおよびキャップ金物を備えてなる補強土構造物において、前記キャップ金物は前記地山アンカーの上端部に形成された雄ねじ部にその円周方向に回転可能に取り付けられ、前記定着金具は前記盛土補強材の端部に取り付けられた定着用コーンと、当該定着用コーンと結合する定着用カップラーとから構成され、前記定着用コーンは円錐台形状に形成され、前記定着用カップラーは前記定着用コーンが遊嵌可能な内径部と前記定着用コーンの最小外径部より大きく最大外径部より小径の内径部を有するカップラー本体と、当該カップラー本体の端部に形成されたねじ孔にカップラー本体の円周方向に回転可能に取り付けられた雄ねじ部材とから構成され、前記アイボルトは前記キャップ金物に当該キャップ金物の直径方向に形成されたねじ孔または貫通孔にキャップ金物の直径方向に突出長さを調整できるように取り付けられ、かつ当該アイボルトのループに前記盛土補強材の端部が貫通して定着されてなることを特徴とするものである。
【００２３】
本発明は、請求項１記載の発明を改良したものであり、本発明によれば、請求項１記載の発明の効果に加えてさらに、盛土補強材の他端側の端部にアイボルトと共に定着用コーンと定着用カップラーを先に取り付け、その後アイボルトを地山アンカーの端部に突設することにより、盛土補強材の他端側の端部を地山アンカーに容易に定着することができて作業性が非常によい。
【００２４】
また、定着用金具の製作に際し、定着用コーンと定着用カップラーの大きさを盛土補強材の径を基準に決定することができるため、定着用金具を小型化して管理等を容易にすることができる。
【００２５】
請求項３記載の補強土構造物は、請求項１または２記載の補強土構造物において、壁面材の背面部の盛土層内に格子鉄筋や金網、あるいはジオテキスタイルからなる付設構造体が複数の壁面材と一体に構築されてなることを特徴とするものである。
請求項４記載の補強土構造物は、請求項１または２記載の補強土構造物において、壁面材の背面部の盛土層内に鉄骨材を組み込むか、あるいは現地発生土を利用した改良土または固結土からなる付設構造体が複数の壁面材と一体に構築されてなることを特徴とするものである。
【００２６】
本発明によれば、盛土補強材の一端側を複数の壁面材と一体に構築された付設構造体を介して壁面材に定着することで、積層された複数の壁面材を少数の盛土補強材と地山アンカーを介して地山に固定することで、現場施工の省力化と工事費の低減を図ることができる。
【００２７】
なお、簡易な付設構造体として、格子鉄筋や金網、あるいはジオテキスタイル等を壁面材の背面側の盛土層内に複数層に付設することにより、盛土補強材と地山アンカーを少なくすることもできる。
【００２８】
この場合の付設構造体としては、例えば積層された複数の壁面材の背面部に鉄骨材を組み込んだり、あるいは現地発生土を利用した改良土や固結土によって構築することができる。
【００２９】
請求項６記載の盛土補強材の定着金具は、地山を背に形成された盛土層内に敷設された盛土補強材を前記地山に突設された地山アンカーに定着するための盛土補強材定着金具であって、円錐台形状に形成され、前記盛土補強材または地山アンカーの一方の端部に取り付けられた定着用コーンと、当該定着用コーンが遊嵌可能な内径部と前記定着用コーンの最小外径部より大きく最大外径部より小径の内径部を有して形成され、前記盛土補強材または地山アンカーの他方の端部に取り付けられた定着用カップラーとから構成され、かつ前記定着用コーンと定着用カップラーは定着用コーンの外周部と定着用カップラーの内径部との当接部に作用する軸圧縮力によって前記盛土補強材に作用する引張力に抵抗するように結合されてなることを特徴とするものである。
【００３０】
本発明によれば、裁頭円錐大径に形成された定着用コーンの形状に対して定着用カップラーの形状を、定着用コーンの最大外径部より大きい内径に形成し、その一端側に前記定着用コーンの最小外径部より大きく最大外径部より小径の内径部を形成することにより、盛土補強材に作用する引張力に対して定着用コーンの外周部と定着用カップラーの内径部との当接部に軸圧縮力が作用する構造（図２（ａ）矢印イ）としたことで、定着用コーンと定着用カップラーとの結合を単純明快な結合構造とすることができる。
【発明の効果】
【００３１】
本発明は、主として盛土の安定を目的に盛土内に敷設された盛土補強材の端部を地山に突設された地山アンカーに、当該盛土補強材に作用する引張力に対して定着用コーンの外周部（テーパ部）と定着用カップラーの内径部との当接部に作用する軸圧縮力によって抵抗するように構成された定着金具によって結合することで、盛土補強材と地山アンカーとの定着部に発生する局所応力（曲げ応力）を緩和して、定着部の破断等を未然に防止することができる等の効果を有する。
【発明を実施するための最良の形態】
【００３２】
図１〜図３は、本発明の一実施形態を示し、図において、地山１を背に複数の壁面ブロック２が複数層に積層され、その背面側に建設残土や現地掘削土などからなる盛土層３が一定の層厚ごとに転圧しながら充填されている。
【００３３】
また、盛土層３内に丸鋼や異形鉄筋などの鋼棒からなる盛土補強材４が一定の層厚ごとに複数層に敷設され、各盛土補強材４の壁面ブロック２側(一端側)の端部４ａは壁面ブロック２に定着され、地山側(他端側)の端部４ｂは地山１に突設された地山アンカー５に定着金具６を介して定着されている。
【００３４】
定着金具６は、地山アンカー５の上端部に取り付けられた定着用コーン７と盛土補強材４の地山側の端部４ｂに取り付けられ、定着用コーン７と結合された定着用カップラー８とから構成されている。
【００３５】
定着用コーン７は、地山アンカー５の上端側端部の外径が最大に形成され(以下「最大外径部Ｌ１」という)、地山アンカー５の先端方向に徐々に小径をなすように形成され、かつ地山アンカー５の先端側端部の外径が最小に形成され(以下「最小外径部Ｌ２」という)、結果として全体が裁頭円錐台形状に形成されている。
【００３６】
また、定着用コーン７の中央に地山アンカー５の上端部に形成された雄ねじ部５ａと螺合可能なねじ孔７ａが軸方向に貫通して形成されている。
【００３７】
このように形成された定着用コーン７は、地山アンカー５の上端部に雄ねじ部５ａとねじ孔７ａを螺合することにより最小外径部Ｌ２側から取り付けられている。
【００３８】
定着用カップラー８は、カップラー本体９と当該カップラー本体９の壁面ブロック２側端部に脱着自在に取り付けられた雄ねじ部材１０とから構成されている。
【００３９】
カップラー本体９は、地山側端部の内径部９ａを除く全体の内径部９ｂが定着用コーン７の最大外径部Ｌ１より大きく、定着用コーン７を遊嵌挿可能な内径に形成されている。
【００４０】
また、カップラー本体９の内径部９ａは定着用コーン７の最小外径部Ｌ２より大きく、定着用コーン７の最大外径部Ｌ１より小径に形成されている。また、内径部９ｂの内周は壁面ブロック２側端部から所定の深さにわたってねじ孔になっている。
【００４１】
このように形成されたカップラー本体９は、内径部９ａ側から地山アンカー５の上端部を挿入して地山アンカー５の上端部に取り付けられている。また、内径部９ｂ内に定着用コーン７が最小外径部Ｌ２側から挿入され、かつ内径部９ｂ内に突出した地山アンカー５の上端部に雄ねじ部５ａとねじ孔７ａを螺合して取り付けられている。
【００４２】
雄ねじ部材１０は、内径部９ｂのねじ孔と螺合可能な径に形成され、端部に当該雄ねじ部材１０の直径方向に貫通するねじ孔１０ａが形成されている。
【００４３】
このように形成された雄ねじ部材１０は、カップラー本体９の壁面ブロック２側の端部に螺合することにより取り付けられ、また当該雄ねじ部材１０の縁端部にアイボルト１１がねじ孔１０ａに螺合することにより突設されている。
【００４４】
そして、アイボルト１１の上端部に盛土補強材４の地山側の端部４ｂが定着ナット１２を介して定着されている。この場合、アイボルト１１の上端部に形成されたループ部１１ａを盛土補強材４の地山側の端部４ｂが貫通し、その貫通部分に定着ナット１２が螺合されている。
【００４５】
各盛土補強材４の地山側の端部４ｂを地山アンカー５に定着する際、アイボルト１１の突出長さを変え、また雄ねじ部材１０をその円周方向に回してアイボルト１１のループ部１１ａの位置を盛土補強材４の地山側端部４ｂの位置に合せて適当に変更することにより、盛土補強材４と地山アンカー５との定着部におけるずれを修正することができる。
【００４６】
なお、盛土補強材４の壁面ブロック２側の端部４ａは、例えば、図１（ｂ）に図示するように、当該端部４ａをＬ字状またはＴ字状に形成し、このＬ字状またはＴ字状部分を複数の壁面ブロック２の上端部に連続して形成された定着用溝２ａ内に挿入することにより複数の壁面ブロック２に跨って定着されている。
【００４７】
このような構成において、壁面ブロック２の微小変位などによって盛土補強材４に過大な引張力が作用したとしても、盛土補強材４と地山アンカー５との定着部においては、地山アンカー５側の定着用コーン７の外周部と盛土補強材４側のカップラー本体９の内径部９ｂ間の軸圧縮（図２（ａ）の矢印参照）によって、盛土補強材４側の引張力が地山アンカー５側に伝達されるので、盛土補強材４の地山側の端部４ｂが、地山アンカー５の軸方向に対して角度を有して定着されていても定着部に発生する曲げ応力が低減され、盛土補強材４が定着部から破断してしまうことはない。
【００４８】
なお、この場合、定着用コーン７の外周部とカップラー本体９の内径部９ｂは、これらの部材の円周方向の全体にわたって均等に当接している。
【００４９】
次に道路や宅地などの土地利用を目的に、天然の地盤を切り取り、切り取った地山を背に擁壁を構築する方法について説明する。
【００５０】
最初に、天然の地山を山側から谷川に向かって、所定の層厚ごとに切り取り、同時に切り取った地山１に所定の法面勾配を付ける。また、地山１に地山アンカー５を施工する。こうして、天然地山を一定の層厚ごとに切り取ることと、切り取った地山１に地山アンカー５を施工することを所定の地盤面まで交互に行なう。
【００５１】
次に、天然地盤を所定の地盤面まで切り取り（掘り下げ）、かつ切り取った地山１に所定の層厚ごとに地山アンカー５を施工したら、次に、切り取った地山１を背に壁面ブロック２を一段ないし複数段積層し、その背面側に盛土層３を入念に転圧しながら充填し、その上を水平にならす。
【００５２】
次に、水平に転圧した盛土層３の上に盛土補強材４を敷設する。そして、各盛補強材４の壁面ブロック２側の端部４ａを壁面ブロック２の上端部に定着し、地山側の端部４ｂを地山アンカー５に定着金具６を介して定着する。
【００５３】
特に、盛土補強材４の端部４ｂを地山アンカー５に定着する際は、アイボルト１１を回してその突出高さを変え、また雄ねじ部材１０をカップラー本体９の円周方向に回して、アイボルト１１の横方向の位置を変えることにより盛土補強材４と地山アンカー５の位置のずれを修正する。
【００５４】
こうして、一段目の盛土補強材４の敷設と定着が完了したら、次の段以降の壁面ブロック２の積層、盛土層３の充填と転圧、そして盛土補強材４の敷設と定着を最上段まで順に交互に行なって補強土構造物の全高さを構築する。
【００５５】
図４と図５は、本発明の他の実施形態であり、盛土補強材４の地山側(他端側)の端部４ｂが地山に突設された地山アンカー５の上端部にアイボルト１４と定着金具６を介して定着されている例を示したものである。
【００５６】
図において、地山アンカー５の上端部にキャップ金物１３が取り付けられ、当該キャップ金物１３にアイボルト１４が取り付けられている。キャップ金物１３は、地山アンカー５の上端部にキャップ金物１３に形成されたねじ孔１３ａに地山アンカー５の雄ねじ部５ａを螺合することにより取り付けられている。
【００５７】
アイボルト１４はキャップ金物１３にその直径方向に貫通して形成されたねじ孔または貫通孔１３ｂに螺合または差し込むことにより取り付けられている。符号１５は、アイボルト１４をキャップ金物１３の貫通孔１３ｂに差し込んで取り付けるための離脱防止用の固定ナットである。
【００５８】
そして、キャップ金物１３をその円周方向に回すことによりアイボルト１４の位置をキャップ金物１３の円周方向に適宜調整することができ、またキャップ金物１３の直径方向にアイボルト１４の突出長を自由に変えられるようになっている。
【００５９】
また、盛土補強材４の地山側の端部４ｂはアイボルト１４のループ部１４ａを貫通し、その先端部に定着用カップラー８のカップラー本体９が取り付けられ、その後から定着用コーン７が取り付けられ、さらにその後からカップラー本体９にねじ部材１０が取り付けられている。
【００６０】
この場合のカップラー本体９は、アイボルト１４のループ部１４ａの内径より大きい外径に形成され、内径部９ａ側に盛土補強材４の地山側端部４ｂを挿入して盛土補強材４の端部４ｂに取り付けられている。
【００６１】
定着用コーン７は、カップラー本体９の内径部９ｂ内に最小外径部Ｌ２側から挿入され、かつ内径部９ｂ内に突出した盛土補強材４の端部４ｂに、盛土補強材４側の雄ねじ部にねじ孔７ａを螺合することにより取り付けられている。雄ねじ部材１０は、カップラー本体９に螺合することにより取り付けられている。
【００６２】
このような構成において、壁面ブロックの微小変位などによって盛土補強材４に過大な引張力が作用したとしても、盛土補強材４と地山アンカー５との定着部においては、定着用コーン７の外周部とカップラー本体９の内径部９ｂ間の軸圧縮（図２（ａ）の矢印参照）によって、盛土補強材４側の引張力がアイボルト４を介して地山アンカー５側に伝達されるので、盛土補強材４の地山側の端部４ｂが、地山アンカー５の軸方向に対して角度を有して定着されていても定着部に発生する曲げ応力が低減され、盛土補強材４が定着部から破断してしまうことはない。この場合、定着用コーン７の外周部とカップラー本体９の内径部９ｂは、これらの部材の円周方向の全体にわたって均等に当接している。
【００６３】
なお、上記実施形態において、例えば図６(ａ)に図示するように、積層された複数の壁面材２の背面側に現地発生土を利用したソイルセメントからなる付設構造体１６を壁面材２と一体に構築し、この付設構造体１６を介して盛土補強材４の一端側４ａを複数の壁面材２に定着することで、現場施工の省力化と工事費の低減等を図ることができる。
【００６４】
また、図６(ｂ)に図示するように、簡易な付設構造体として、格子鉄筋や金網、あるいはジオテキスタイル等からなる盛土補強材１７を壁面材２の背面側の盛土層３内に複数層に付設することにより、盛土補強材４と地山アンカー５を少なくすることもできる。
【００６５】
図７は、本願発明に係る補強土構造物の他の実施形態を示し、図７(ａ)，(ｂ)において、符号１８は盛土層３の法面上に法面保護材として複数層に積層され、盛土層３を保持する壁面材である。
【００６６】
壁面材１８は、鉄筋グリッド(格子鉄筋)から形成され、盛土層３の法面の勾配方向に所定の長さに延在された壁面部１８ａと壁面部１８ａの下端部に盛土層３内に向かって所定の長さに突設された脚部１８ｂとから側面視略Ｌ字状に形成されている。
【００６７】
各壁面材１８の壁面部１８ａと脚部１８ｂの略中間部には、縦鉄筋を内側にＵ字状に折り曲げることにより凹部１８ｃが形成され、また各壁面部１８ａの上端部には各縦鉄筋の上端部を外側にＵ字状に折り曲げることにより継手部１８ｄが形成されている。
【００６８】
また、上下に隣接する壁面材１８どうしは、上側に位置する壁面材１８の壁面部１８ａの内側に下側に位置する壁面材１８の壁面部１８ａの上端部を重ね合わせるとともに、継手部１８ｄを壁面部１８ａの網目の外側に突出させ、かつ継手部１８ｄに連結ピン１９を挿入することにより連結されている。
【００６９】
なお、特に盛土層３が安定している場合、上下壁面材１８の壁面部１８ａ，１８ａは単に重ね合わせ、結束線で結束するか、あるいは単に重ね合わせるだけでもよい。また、各壁面材１８の壁面部１８ａの内側に必要に応じて植生用の種子が植えつけられた土砂流失防止用シートまたは植生マット(図省略)を添え付けたり、あるいは盛り土層３の法面に種子を直接植え付けることにより法面の緑化が図られている。さらに、各壁面材１８の壁面部１８ａにモルタルを吹き付けてもよい。
【００７０】
また、上下に隣接する壁面材１８を一段ないし複数段おきに後退させて盛土層３の法面を階段状に形成し、その各段部分を植栽してもよい。
【００７１】
こうして積層された各壁面材１８の壁面部１８ａの外側と脚部１８ｂの下側にそれぞれ腹起し部材２０と基礎梁部材２１が添え付けられ、当該腹起し材２０と基礎梁部材２１間に斜め補強材２２が架け渡されている。
【００７２】
腹起し部材２０と基礎梁部材２１は盛土層３の横方向に隣接する複数の壁面材１８，１８間に跨って連続して添え付けられ、さらに壁面部１８ａの長さ(高さ)、脚部１８ｂの長さに応じて複数列に添え付けられている。
【００７３】
また、斜め補強材２２は壁面材１８の横方向に所定間隔おきに複数架け渡されている。なお、この場合の腹起し部材２０、基礎梁部材２１および斜め補強材２２は鉄筋などの鋼棒、鋼管パイプまたは形鋼などから形成され、かつ腹起し部材２０と基礎梁部材２１は凹部１８ｃ内に嵌め込まれている。
【００７４】
このように積層された各壁面材１８に盛土補強材４の壁面材側の端部が定着金具２３を介して定着されている。
【００７５】
定着金具２３は山形鋼などの形鋼から形成され、各壁面材１８の脚部１８ｂの上に設置され、脚部１８ｂの横鉄筋、基礎梁部材２１または斜め補強材２２に掛止されて後方への移動が阻止されている。
【００７６】
なお、盛土補強材４の壁面材１８側の定着方法は、上記した定着方法に限定されるものではない。また、盛土補強材４の地山側の端部は、図２および図４に図示する定着金具６を介して地山アンカー５に定着されている。
【００７７】
図７(ｃ)は、同じく本願発明の補強土構造物の他の実施形態を示し、壁面材１８にＰＣ板が用いられている。ＰＣ板からなる壁面材１８は複数層に積層されている。また、各壁面材１８の背面部に定着金具２４が突設され、当該定着金具２４に盛土補強材４の壁面材側の端部が上下方向に回転自在にかつ上下方向に一定量スライド自在に定着されている。
【００７８】
この場合の盛土補強材４の壁面材側の端部を壁面材１８に定着する方法としては、例えば、定着金具２４に縦長の長孔を形成し、この長孔に盛土補強材４の端部を貫通させ、その先端部に定着ナットを螺合する等の方法でよい。
【産業上の利用可能性】
【００７９】
本願発明は、盛土補強材の他端側を地山に突設された地山アンカーに容易に定着でき、かつ当該定着部に発生する局所応力（主として曲げ応力）を緩和して定着部の破断を未然に防止することができる。
【図面の簡単な説明】
【００８０】
【図１】本発明の一実施形態を示し、（ａ）は補強土構造物の縦断面図、（ｂ）は積層された壁面ブロックと盛土補強材の一部を示す斜視図である。
【図２】盛土補強材の地山側の端部が地山に突設された地山アンカーに定着された状態を示し、（ａ）は図１（ａ）におけるロ部拡大図、（ｂ）は図２（ａ）におけるハ−ハ線断面図である。
【図３】定着金具を構成する定着用コーン、カップラー本体および雄ねじ部材の位置関係を示す分解図である。
【図４】本発明の他の実施形態であって、盛土補強材の地山側の端部が地山に突設された地山アンカーに定着された状態を示し、（ａ）は縦断面図、（ｂ）は（ａ）におけるニ−ニ線断面図である。
【図５】アイボルトと定着金具を構成する定着用コーン、カップラー本体および雄ねじ部材の位置関係を示す分解図である。
【図６】本発明の他の実施形態を示し、（ａ），(ｂ)は補強土構造物の縦断面図である。
【図７】本発明の他の実施形態を示し、（ａ）は補強土構造物の一部縦断面図、（ｂ）は積層された鉄筋グリッドからなる壁面材の斜視図、(ｃ)は壁面材にＰＣ板が使用された補強土構造物の一部縦断面図である。
【図８】盛土補強材の他端側を地山に定着する方法の従来例を示す断面図である。
【符号の説明】
【００８１】
１  地山
２  壁面ブロック（壁面材）
３  盛土層
４  盛土補強材
４ａ  壁面材側の端部
４ｂ  地山側の端部
５  地山アンカー
５ａ  雄ねじ部
６  定着金具
７  定着用コーン
８  定着用カップラー
９  カップラー本体
９ａ  内径部
９ｂ  内径部
１０  雄ねじ部
１０ａ  ねじ孔
１１  アイボルト
１１a  ループ部
１２  定着ナット
１３  キャップ金物
１４  アイボルト
１４ａ  ループ部
１５  固定ナット
１６  付設構造体
１７  盛土補強材
１８  壁面材
１９  連結ピン
２０  腹起し部材
２１  基礎梁部材
２２  斜め補強材
２３  定着金具
２４  定着金具
【図１】
0004566257.tif 000002
【図２】
0004566257.tif 000003
【図３】
0004566257.tif 000004
【図４】
0004566257.tif 000005
【図５】
0004566257.tif 000006
【図６】
0004566257.tif 000007
【図７】
0004566257.tif 000008
【図８】
0004566257.tif 000009